(57)【要約】【課題】筐体の上下方向のサイズ増加を低減しつつピント調節が可能な画像表示装置、及び、ヘッドマウントディスプレイを提供する。【解決手段】ＨＭＤは、画像光を生成可能な画像ユニット７、複数のレンズ６３を有するレンズユニット６、画像ユニット７及びレンズユニット６を覆う筐体、画像ユニット７によって生成された画像光を後方に偏向させることが可能なハーフミラー５６、レンズユニット６の後側に設けられた凸部、レンズユニット６の前側に設けられた凸部６４、筐体の後側の内側面に設けられ、レンズユニット６を左右方向に移動可能に支持する、左右一直線状に延びる溝部２４２、凸部６４に係合するカム溝を有する調節機構４、及び、調節機構４に接続し且つ筐体の前側に設けられ、ユーザによる操作が可能な操作部材３を備える。【選択図】図６
2016031506.tif 000002
【特許請求の範囲】
【請求項１】
画像光を生成可能な画像ユニットと、
複数のレンズを有し、前記画像ユニットに対して第１方向の一方側に配置され、その光軸が前記第１方向に延びるレンズユニットと、
前記画像ユニット及び前記レンズユニットの少なくとも一部を覆う筐体と、
前記筐体のうち、前記レンズユニットに対して前記第１方向の前記一方側に設けられた部材であって、前記レンズユニットによって導かれた前記画像光を、前記第１方向と直交する第２方向の一方側に偏向させることが可能な偏向部材と、
前記画像ユニット及び前記レンズユニットの少なくとも一方の前記第２方向の前記一方側に設けられた第１係合部材と、
前記画像ユニット及び前記レンズユニットの少なくとも一方の前記第２方向の他方側に設けられた第２係合部材と、
前記筐体のうち、前記第２方向の前記一方側の部分の前記筐体内側面に設けられた部材であって、前記第１係合部材に係合して前記第１方向に移動可能に支持する第３係合部材と、
前記第２係合部材に係合する部材であって、前記画像ユニットと前記レンズユニットとの前記第１方向の相対距離を変更可能な第４係合部材を有し、前記第２係合部材の前記第２方向の前記他方側に設けられた調節機構と、
前記筐体のうち、前記第２方向の前記他方側に少なくとも設けられた部材であって、前記調節機構に接続され、前記調節機構を使用者が操作可能な操作部材と
を備えたことを特徴とする画像表示装置。
【請求項２】
前記筐体は、前記画像ユニットと前記偏向部材との間の距離を固定して保持し、
前記第１係合部材及び前記第２係合部材は、前記レンズユニットに設けられ、前記画像ユニットに設けられないことを特徴とする請求項１に記載の画像表示装置。
【請求項３】
前記第１係合部材は、前記第２方向の前記一方側に突出する第１突出部を有し、
前記第３係合部材は、前記第１方向に延び且つ前記第１突出部が嵌る第１溝部を有することを特徴とする請求項１又は２に記載の画像表示装置。
【請求項４】
前記第１突出部の前記第１方向の長さは、前記第１方向及び前記第２方向と直交する第３方向の長さよりも長いことを特徴とする請求項３に記載の画像表示装置。
【請求項５】
前記第１突出部は、前記画像ユニット及び前記レンズユニットの少なくとも一方の前記第２方向の前記一方側のうち、前記第３方向の中心を含む位置に設けられ、
前記第２係合部材は、前記画像ユニット及び前記レンズユニットの少なくとも一方の前記第２方向の前記他方側のうち、前記第３方向の中心を含む位置に設けられ、
前記第３係合部材は、前記筐体の前記第２方向の前記一方側の部分の前記筐体内側面のうち、前記第３方向の中心を含む位置に設けられることを特徴とする請求項４に記載の画像表示装置。
【請求項６】
前記第２係合部材は、前記画像ユニット及び前記レンズユニットの少なくとも一方の前記第２方向の前記他方側に突出する第２突出部を有し、
前記第４係合部材は、前記第２突出部が嵌る渦巻き状の第２溝部を有することを特徴とする請求項１から５の何れかに記載の画像表示装置。
【請求項７】
前記画像ユニットと前記レンズユニットとは、前記画像ユニットと前記レンズユニットとの間の前記第１方向の前記相対距離が最も近接した第１状態と、前記相対距離が最も離間した第２状態との間で移動可能に前記筐体に保持され、
前記画像ユニットの前記第１方向の前記一方側の端部は、前記第１状態において、前記レンズユニットの前記第１方向の前記他方側の端部よりも、前記第１方向の前記一方側に配置され、
前記レンズユニットは、前記第１状態において、前記画像ユニットの前記第１方向の前記一方側の端部よりも前記第１方向の前記他方側に配置されるレンズユニット重複部分のうち、前記光軸に最も近接する部分に、前記光軸と交差する方向に突出する少なくとも１つの第３突出部を有し、
前記画像ユニットは、前記第１状態において、前記レンズユニットの前記第１方向の前記他方側の端部よりも前記第１方向の前記一方側に配置される画像ユニット重複部分のうち、前記光軸に最も近接する部分に、前記少なくとも１つの第３突出部が内側から嵌まる少なくとも１つの第３溝部を有することを特徴とする請求項１から６の何れかに記載の画像表示装置。
【請求項８】
前記少なくとも１つの第３突出部は、前記レンズユニット重複部分の前記光軸と直交する方向の一方側と他方側とのそれぞれに設けられた一対の第３突出部を有し、
前記少なくとも１つの第３溝部は、前記画像ユニット重複部分の前記光軸と直交する方向の一方側と他方側とのそれぞれに設けられた一対の第３溝部を有することを特徴とする請求項７に記載の画像表示装置。
【請求項９】
前記少なくとも１つの第３突出部は、前記レンズユニットの前記第２方向の中心を含む位置に設けられ、
前記少なくとも１つの第３溝部は、前記画像ユニットの前記第２方向の中心を含む位置に設けられたことを特徴とする請求項７又は８に記載の画像表示装置。
【請求項１０】
前記筐体は、前記第２方向の前記一方側に第１筐体を有し、前記第２方向の前記他方側に第２筐体を有し、
前記画像ユニット及び前記レンズユニットは前記第１筐体に保持され、前記操作部材は前記第２筐体に保持されることを特徴とする請求項１から９の何れかに記載の画像表示装置。
【請求項１１】
前記画像ユニットのうち前記第２方向の前記他方側に、同一平面上に配置される複数の端部を含む平面部を備えたことを特徴とする請求項１から１０の何れかに記載の画像表示装置。
【請求項１２】
請求項１から１１の何れかに記載の前記画像表示装置と、
前記第１方向に延び且つ前記第２方向の前記他方側に向けて凸状に湾曲する第１部分、及び、前記第１部分の両側から前記第２方向の前記一方側に延びる一対の第２部分を有する装着具と、
前記装着具の前記第１部分から延び、先端に前記筐体が接続された接続具と
を備えたことを特徴とするヘッドマウントディスプレイ。
【発明の詳細な説明】
【技術分野】
【０００１】
本発明は、使用者の頭部に装着される画像表示装置、及び、ヘッドマウントディスプレイに関する。
【背景技術】
【０００２】
従来、ピント調整を行うことが可能なヘッドマウントディスプレイ（以下、「ＨＭＤ」という。）が知られている。特許文献１は、使用者の片側の眼に画像を提示する単眼型のＨＭＤを開示する。ＨＭＤにおいて、筐体内の液晶に表示された画像の光（以下、「画像光」という。）の光軸は、筐体の長手方向（以下、「左右方向」という。）と同一方向に延びる。画像光は、ハーフミラーによって後方に曲折され、使用者の片側の眼に入射される。ＨＭＤは、ピント調節を行うためのアジャスタを備える。アジャスタはリング状であり、光軸を支点として回動可能である。アジャスタの内側に、液晶を保持する液晶ホルダが配置される。アジャスタの内周面から内側に突出する係合部は、液晶ホルダの外周面に設けられた溝カムに嵌る。アジャスタの回動に応じ、液晶ホルダは光軸に沿って左右方向に移動する。この場合、筐体に固定されたレンズホルダに対する液晶ホルダの位置が左右方向に移動する。
【先行技術文献】
【特許文献】
【０００３】
【特許文献１】特開２０１３−４４８２８号公報
【発明の概要】
【発明が解決しようとする課題】
【０００４】
上記のＨＭＤの場合、アジャスタは液晶ホルダの外側に設けられる。このため、筐体における光軸を中心とした周方向の大きさは、アジャスタが設けられない場合と比べて大きくなる。筐体の周方向の大きさが大きい場合、筐体は、上下方向にも大きくなる。その結果、使用者の視野が筐体によって遮られる場合があるという問題点がある。
【０００５】
本発明の目的は、筐体の上下方向のサイズ増加を低減しつつピント調節が可能な画像表示装置、及び、ヘッドマウントディスプレイを提供することである。
【課題を解決するための手段】
【０００６】
本発明の第１態様に係る画像表示装置は、画像光を生成可能な画像ユニットと、複数のレンズを有し、前記画像ユニットに対して第１方向の一方側に配置され、その光軸が前記第１方向に延びるレンズユニットと、前記画像ユニット及び前記レンズユニットの少なくとも一部を覆う筐体と、前記筐体のうち、前記レンズユニットに対して前記第１方向の前記一方側に設けられた部材であって、前記レンズユニットによって導かれた前記画像光を、前記第１方向と直交する第２方向の一方側に偏向させることが可能な偏向部材と、前記画像ユニット及び前記レンズユニットの少なくとも一方の前記第２方向の前記一方側に設けられた第１係合部材と、前記画像ユニット及び前記レンズユニットの少なくとも一方の前記第２方向の他方側に設けられた第２係合部材と、前記筐体のうち、前記第２方向の前記一方側の部分の前記筐体内側面に設けられた部材であって、前記第１係合部材に係合して前記第１方向に移動可能に支持する第３係合部材と、前記第２係合部材に係合する部材であって、前記画像ユニットと前記レンズユニットとの前記第１方向の相対距離を変更可能な第４係合部材を有し、前記第２係合部材の前記第２方向の前記他方側に設けられた調節機構と、前記筐体のうち、前記第２方向の前記他方側に少なくとも設けられた部材であって、前記調節機構を使用者が操作可能な操作部材とを備えている。
【０００７】
画像表示装置において、画像ユニットとレンズユニットとの少なくとも一方の第１係合部材は、第２方向の一方側に設けられ、第２係合部材は、第２方向の他方側に設けられる。第１係合部材は、筐体の第３係合部材に係合し、筐体に対して第１方向に移動可能に支持される。第２係合部材は、調節機構の第４係合部材に係合し、操作部材に対する操作に応じて第１方向に移動する。これによって、画像ユニットとレンズユニットとの光軸に沿った方向の相対距離が変化し、ピント調節が行われる。
【０００８】
筐体の第１方向が左右方向を向き、第２方向の一方側が使用者に対向した状態で、画像表示装置が使用者に装着される場合を例に挙げる。この場合、画像ユニットとレンズユニットとの相対距離を変化させてピント調節を行うための部材である、第１係合部材、第２係合部材、第３係合部材、及び、第４係合部材は、使用者に対して前後方向（第２方向）に配置され、上下方向（第３方向）に配置されない。このため、画像表示装置は、使用者に装着された状態で上下方向の大きさを抑制できる。従って、画像表示装置は、ユーザによるピント調節を可能としつつ、筐体の上下方向の大きさが増加することを低減できる。
【０００９】
第１態様において、前記筐体は、前記画像ユニットと前記偏向部材との間の距離を固定して保持し、前記第１係合部材及び前記第２係合部材は、前記レンズユニットに設けられ、前記画像ユニットに設けられなくてもよい。この場合、操作部材に対する操作に応じ、レンズユニットは調節機構によって第１方向に移動する。これによって画像ユニットとの相対距離は変化し、ピント調節が行われる。レンズユニットは、外部からの電気的制御が不要であるので、電気信号を伝達するための信号線が接続されない。このため、画像表示装置は、レンズユニットを左右方向にスムーズに移動させることができる。
【００１０】
第１態様において、前記第１係合部材は、前記第２方向の前記一方側に突出する第１突出部を有し、前記第３係合部材は、前記第１方向に延び且つ前記第１突出部が嵌る第１溝部を有してもよい。この場合、第１係合部材及び第３係合部材によって筐体が第３方向に大きくなることを適切に抑制できる。又、第１溝部は、第１突出部が第１方向以外の方向に移動することを規制できる。従って、画像表示装置は、画像ユニット又はレンズユニットを第１方向に適切に移動させることができる。
【００１１】
第１態様において、前記第１突出部の前記第１方向の長さは、前記第１方向及び前記第２方向と直交する第３方向の長さよりも長くてもよい。この場合、画像表示装置は、操作部材に対する操作が行われた場合に、画像ユニット又はレンズユニットが第２方向に延びる軸を支点として回転することを抑制できる。従って、画像表示装置は、画像ユニット又はレンズユニットを第１方向に移動させることによるピント調節を適切に実行できる。
【００１２】
第１態様において、前記第１突出部は、前記画像ユニット及び前記レンズユニットの少なくとも一方の前記第２方向の前記一方側のうち、前記第３方向の中心を含む位置に設けられ、前記第２係合部材は、前記画像ユニット及び前記レンズユニットの少なくとも一方の前記第２方向の前記他方側のうち、前記第３方向の中心を含む位置に設けられ、前記第３係合部材は、前記筐体の前記第２方向の前記一方側の部分の前記筐体内側面のうち、前記第３方向の中心を含む位置に設けられてもよい。画像表示装置が第３方向の一方側を上にした状態で使用者に装着された場合と、第３方向の他方側を上にした状態で使用者に装着された場合とで、画像ユニット及びレンズユニットに加わる重力の向きが変化する。これに対して、画像表示装置は、画像ユニット及びレンズユニットに加わる重力の向きが変化した場合でも、画像ユニット及びレンズユニットを水平に維持できる。
【００１３】
第１態様において、前記第２係合部材は、前記画像ユニット及び前記レンズユニットの少なくとも一方の前記第２方向の前記他方側に突出する第２突出部を有し、前記第４係合部材は、前記第２突出部が嵌る渦巻き状の第２溝部を有してもよい。この場合、第２係合部材及び第４係合部材によって筐体が第３方向に大きくなることを適切に抑制できる。又、操作部材を回転させる操作に応じ、第２溝部に沿って第２突出部を移動させることによって、画像ユニット及びレンズユニットの少なくとも一方を第１方向に移動させ、双方間の相対距離を変化させることができる。
【００１４】
第１態様において、前記画像ユニットと前記レンズユニットとは、前記画像ユニットと前記レンズユニットとの間の前記第１方向の前記相対距離が最も近接した第１状態と、前記相対距離が最も離間した第２状態との間で移動可能に前記筐体に保持され、前記画像ユニットの前記第１方向の前記一方側の端部は、前記第１状態において、前記レンズユニットの前記第１方向の前記他方側の端部よりも、前記第１方向の前記一方側に配置され、前記レンズユニットは、前記第１状態において、前記画像ユニットの前記第１方向の前記一方側の端部よりも前記第１方向の前記他方側に配置されるレンズユニット重複部分のうち、前記光軸に最も近接する部分に、前記光軸と交差する方向に突出する少なくとも１つの第３突出部を有し、前記画像ユニットは、前記第１状態において、前記レンズユニットの前記第１方向の前記他方側の端部よりも前記第１方向の前記一方側に配置される画像ユニット重複部分のうち、前記光軸に最も近接する部分に、前記少なくとも１つの第３突出部が内側から嵌まる少なくとも１つの第３溝部を有してもよい。この場合、画像ユニットとレンズユニットとの第１方向の重複部分で、少なくとも１つの第３突出部が少なくとも１つの第３溝部に嵌ることによって、第３方向と交差する方向の位置関係が固定される。従って、操作部材に対する操作に応じて画像ユニット及びレンズユニットの少なくとも一方が第１方向に移動したときに、画像ユニット及びレンズユニットが光軸と交差する方向に移動することを抑制できる。なお、少なくとも１つの第３突出部及び少なくとも１つの第３溝部は、光軸に近接する位置に設けられるので、画像ユニット及びレンズユニットが光軸と交差する方向に移動することを適切に抑制できる。
【００１５】
第１態様において、前記少なくとも１つの第３突出部は、前記レンズユニット重複部分の前記光軸と直交する方向の一方側と他方側とのそれぞれに設けられた一対の第３突出部を有し、前記少なくとも１つの第３溝部は、前記画像ユニット重複部分の前記光軸と直交する方向の一方側と他方側とのそれぞれに設けられた一対の第３溝部を有してもよい。この場合、画像ユニットとレンズユニットとは、それぞれの第１方向の重複部分の第１方向と直交する方向の両側で、第３方向と交差する方向の位置関係が固定される。従って、操作部材に対する操作に応じて画像ユニット及びレンズユニットの少なくとも一方が第１方向に移動したときに、画像ユニット及びレンズユニットが光軸と交差する方向に移動することを適切に抑制できる。
【００１６】
第１態様において、前記少なくとも１つの第３突出部は、前記レンズユニットの前記第２方向の中心を含む位置に設けられ、前記少なくとも１つの第３溝部は、前記画像ユニットの前記第２方向の中心を含む位置に設けられてもよい。この場合、操作部材に対する操作に応じて画像ユニット及びレンズユニットの少なくとも一方が第１方向に移動したときに、画像ユニット及びレンズユニットが第２方向に移動することを適切に抑制できる。
【００１７】
第１態様において、前記筐体は、前記第２方向の前記一方側に第１筐体を有し、前記第２方向の前記他方側に第２筐体を有し、前記画像ユニット及び前記レンズユニットは前記第１筐体に保持され、前記操作部材は前記第２筐体に保持されてもよい。筐体の第１方向が左右方向を向き、第２方向の一方側が使用者に対向した状態で、画像表示装置が使用者に装着される場合を例に挙げる。この場合、使用者側に近接して配置される第１筐体に、画像ユニット及びレンズユニットが保持される。装着部材等によって画像表示装置を使用者の頭部に固定する場合であって、第１筐体に装着部材が接続される場合、画像ユニット及びレンズユニットは、使用者の頭部に適切に固定される。
【００１８】
第１態様において、前記画像ユニットのうち前記第２方向の前記他方側に、同一平面上に配置される複数の端部を含む平面部を備えてもよい。この場合、平面部を土台として画像ユニットを台等に容易に載置させ易くなる。このため、画像ユニットを筐体に組み付けて画像表示装置を製造する場合に、画像ユニットを安定化させることができる。これによって、画像表示装置の製造を容易化できる。
【００１９】
本発明の第２態様に係るヘッドマウントディスプレイは、第１態様に係る画像表示装置と、前記第１方向に延び且つ前記第２方向の前記他方側に向けて凸状に湾曲する第１部分、及び、前記第１部分の両側から前記第２方向の前記一方側に延びる一対の第２部分を有する装着具と、前記装着具の前記第１部分から延び、先端に前記筐体が接続された接続具とを備えている。第２態様によれば、第１態様と同様の効果を奏することができる。
【図面の簡単な説明】
【００２０】
【図１】ＨＭＤ１の斜視図である。
【図２】本体部材１１の斜視図である。
【図３】本体部材１１の左側面図である。
【図４】筐体１２の斜視図である。
【図５】前側筐体１３を後方から見た図である。
【図６】本体部材１１内の分解斜視図である。
【図７】画像ユニット７の左側面図である。
【図８】レンズユニット６の斜視図である。
【図９】レンズユニット６の右側面図である。
【図１０】調節機構４の背面図である。
【図１１】ホルダ５の斜視図である。
【図１２】ホルダ５の斜視図である。
【図１３】ホルダ５及びハーフミラー５６が筐体１２から取り外された状態を示す図である。
【図１４】ホルダ５及びハーフミラー５６が筐体１２に装着された状態を示す図である。
【図１５】第１状態における、レンズユニット６、画像ユニット７、操作部材３、及び、調節機構４の斜視図である。
【図１６】第２状態における、レンズユニット６、画像ユニット７、操作部材３、及び、調節機構４の斜視図である。
【発明を実施するための形態】
【００２１】
以下、本発明の一実施形態について、図面を参照して説明する。図１に示すように、ヘッドマウントディスプレイ（Head Mounted Display、以下、「ＨＭＤ」という。）１は、光学透過型のシースルーＨＭＤである。使用者の眼前の景色の光は、ハーフミラー５６を透過することによって使用者の眼に直接導かれる。ＨＭＤ１の投影形式は、虚像投影型である。ハーフミラー５６は、液晶パネル７２Ｂ（図６参照、後述）に表示された画像の光を、使用者の片側の眼に向けて反射させる。ＨＭＤ１は、使用者に対して、眼前の景色に画像を重ねて認識させることができる。ＨＭＤ１は、本体部材１１、装着具８、及び、接続具９を備える。以下、図の説明の理解を助けるため、ＨＭＤ１の上側、下側、左側、右側、前側、及び、後側を定義する。ＨＭＤ１の上側、下側、左側、右側、前側、及び、後側は、例えば、図１の上側、下側、左側、右側、左斜め下側、及び、右斜め上側にそれぞれ対応する。ＨＭＤ１の上側、下側、左側、右側、前側、及び、後側は、それぞれ、装着具８が使用者に着用された場合の方向に対応する。
【００２２】
＜装着具８、接続具９、本体部材１１＞
装着具８は、樹脂や金属（例えば、ステンレス）などの、可撓性を有する材質で構成される。装着具８は、第１部分８Ａ及び第２部分８Ｂ、８Ｃを有する。第１部分８Ａ及び第２部分８Ｂ、８Ｃは、それぞれ、湾曲した細長い板状部材である。第１部分８Ａは、左右方向に延び、且つ、前側に凸状に湾曲する。第２部分８Ｂは、第１部分８Ａの一方側（例えば、左側）の端部から延びる。第２部分８Ｃは、第１部分８Ａの他方側（例えば、右側）の端部から延びる。第２部分８Ｂ、８Ｃは、それぞれ、第１部分８Ａと接続する側と反対側（例えば、後側）の端部が互いに近づく方向に延びる。装着具８は、使用者の前頭部、右側頭部、及び、左側頭部のそれぞれに、第１部分８Ａ、第２部分８Ｂ、８Ｃを接触させた状態で、使用者の頭部に着用される。この状態で、第１部分８Ａは使用者の額に沿って左右方向に延びる。
【００２３】
接続具９は棒状である。接続具９は、樹脂や金属などで構成される。接続具９の一端側（例えば、上側）は、装着具８の第１部分８Ａのうち第２部分８Ｃと接続する部分の近傍に接続される。接続具９と装着具８とは、ボールジョイントで接続される。接続具９の他端側（例えば、下側）に、後述する本体部材１１が接続される。接続具９と本体部材１１とは、ボールジョイントで接続される。接続具９は、装着具８から離隔した位置に本体部材１１を保持する。接続具９は、装着具８が使用者の頭部に着用された状態で、本体部材１１のハーフミラー５６を、使用者の左眼の前方に配置させることができる。
【００２４】
図１、図２、図３に示すように、本体部材１１は、筐体１２、操作部材３、調節機構４（図６参照）、偏向ユニット５９、レンズユニット６（図６参照）、画像ユニット７（図６参照）を備えている。偏向ユニット５９は、ホルダ５及びハーフミラー５６を有する。
【００２５】
＜筐体１２＞
図１、図２、図４に示すように、筐体１２は、本体部１２Ａと突出部１２Ｂとを有する。本体部１２Ａは、角が湾曲した略直方体状の形状を有する。突出部１２Ｂは、本体部１２Ａの右後側から後方に突出する。筐体１２は中空箱状である。本体部１２Ａの前側、上側、下側、後側、及び、右側を、それぞれ、第１筐体２１、第２筐体２２、第３筐体２３（図１参照）、第４筐体２４（図４参照）、及び、第５筐体２５（図１参照）という。第１筐体２１の前側の面、第２筐体２２の上側の面、第３筐体２３の下側の面、第４筐体２４の後側の面、及び、第５筐体２５の右側の面を、それぞれ、第１表面２１Ｍ、第２表面２２Ｍ、第３表面２３Ｍ、第４表面２４Ｍ（図４参照）、及び、第５表面２５Ｍ（図１参照）という。なお、筐体１２の左側は開放し、筐体１２内部のレンズユニット６（後述）の左側は露出する。レンズユニット６の左側は、筐体１２によって覆われない。
【００２６】
図１、図２に示すように、第１表面２１Ｍと第２表面２２Ｍとが接続する部分の近傍（以下、湾曲部分２１２という。）、第１表面２１Ｍと第３表面２３Ｍとが接続する部分の近傍（以下、湾曲部分２１３という。）は、それぞれ湾曲する。図１に示すように、第１表面２１Ｍと第５表面２５Ｍとが接続する部分の近傍（以下、湾曲部分２１５という。）、第２表面２２Ｍと第５表面２５Ｍとが接続する部分の近傍（以下、湾曲部分２２５という。）、及び、第３表面２３Ｍと第５表面２５Ｍとが接続する部分の近傍（以下、湾曲部分２３５という。）は、それぞれ湾曲する。
【００２７】
なお以下では、湾曲部分２１２のうち、接線が水平方向に対して４５度傾斜する位置を、接続位置２１２Ｓ（図３参照）と定義する。接続位置２１２Ｓは、第１表面２１Ｍ及び第２表面２２Ｍが接続する位置である。接続位置２１２Ｓは、又、第１筐体２１及び第２筐体２２が接続する位置でもある。湾曲部分２１３のうち、接線が水平方向に対して４５度傾斜する位置を、接続位置２１３Ｓ（図３参照）と定義する。接続位置２１３Ｓは、第１表面２１Ｍ及び第３表面２３Ｍが接続する位置である。接続位置２１３Ｓは、又、第１筐体２１及び第３筐体２３が接続する位置でもある。湾曲部分２１５のうち、接線が水平方向に対して４５度傾斜する位置を、接続位置２１５Ｓと定義する。接続位置２１５Ｓは、第１表面２１Ｍ及び第５表面２５Ｍが接続する位置である。接続位置２１５Ｓは、又、第１筐体２１及び第５筐体２５が接続する位置でもある。湾曲部分２２５のうち、接線が水平方向に対して４５度傾斜する位置を、接続位置２２５Ｓと定義する。接続位置２２５Ｓは、第２表面２２Ｍ及び第５表面２５Ｍが接続する位置である。接続位置２２５Ｓは、又、第２筐体２２及び第５筐体２５の接続する位置でもある。湾曲部分２３５のうち、接線が水平方向に対して４５度傾斜する位置を、接続位置２３５Ｓと定義する。接続位置２３５Ｓは、第３表面２３Ｍ及び第５表面２５Ｍが接続する位置である。接続位置２３５Ｓは、又、第３筐体２３及び第５筐体２５が接続する位置でもある。
【００２８】
第２表面２２Ｍは、後側から前側に向かうに従って斜め下方向に傾斜する。第３表面２３Ｍは、後側から前側に向かうに従って斜め上方向に傾斜する。このため、第２表面２２Ｍと第３表面２３Ｍとの間の上下方向の距離は、後側から前側に向かうに従って徐々に小さくなる。従って、第５表面２５Ｍの上下方向の長さ、言い換えると、接続位置２２５Ｓと接続位置２３５Ｓとの間の上下方向の長さも、後側から前側に向かうに従って徐々に小さくなる。
【００２９】
図２に示すように、第１筐体２１の左端２１Ｃは、上下方向両端部から上下方向中心に向けて、右方に凹む。左端２１Ｃは略円弧を形成する。左端２１Ｃの最も右側の位置は、第２筐体２２の左端２２Ｃ、及び、第３筐体２３の左端２３Ｃのそれぞれの最も左側の位置よりも、右側に配置される。図４に示すように、第４筐体２４の左端２４Ｃの最も左側の位置は、左端２１Ｃ、２２Ｃ、２３Ｃのそれぞれの最も左側の位置よりも、右側に配置される。
【００３０】
以下、第１筐体２１、第２筐体２２、第３筐体２３、及び、第４筐体２４のそれぞれのうち、後述するレンズユニット６（図６参照）よりも左側の部分を、それぞれ、第１延出部２１Ａ、第２延出部２２Ａ、第３延出部２３Ａ、及び、第４延出部２４Ａという。第１延出部２１Ａは、レンズユニット６の左端と、左端２１Ｃとの間に延びる部分に対応する。第２延出部２２Ａは、レンズユニット６の左端と、左端２２Ｃとの間に延びる部分に対応する。第３延出部２３Ａは、レンズユニット６の左端と、左端２３Ｃとの間に延びる部分に対応する。第４延出部２４Ａは、レンズユニット６の左端と、左端２４Ｃとの間に延びる部分に対応する。第１延出部２１Ａの上側は、第２延出部２２Ａの前側に接続する。第１延出部２１Ａの下側は、第３延出部２３Ａの前側に接続する。第１延出部２１Ａの後側の面、第２延出部２２Ａの下側の面、及び、第３延出部２３Ａの上側の面を、それぞれ、第１裏面２１Ｂ、第２裏面２２Ｂ、第３裏面２３Ｂという。第２裏面２２Ｂ及び第３裏面２３Ｂは対向する。
【００３１】
図４、図５に示すように、第２裏面２２Ｂの前側に、前側第１規制部材２２１Ａが設けられる。前側第１規制部材２２１Ａは、第２裏面２２Ｂのうち湾曲部分２１２（図１参照）の内側から下方に延びる板状の部材である。図５に示すように、第３裏面２３Ｂの前側に、前側第１規制部材２３１Ａが設けられる。前側第１規制部材２３１Ａは、第３裏面２３Ｂのうち湾曲部分２１３（図１参照）の内側から上方に延びる板状の部材である。前側第１規制部材２２１Ａ、２３１Ａのそれぞれの両面は、左右方向を向く。前側第１規制部材２２１Ａ、２３１Ａのそれぞれの左右方向の位置は等しい。
【００３２】
図４に示すように、第２裏面２２Ｂの後側に、後側第１規制部材２２１Ｂが設けられる。後側第１規制部材２２１Ｂは、第２延出部２２Ａの後端に沿って下方に延びる板状の部材である。第３裏面２３Ｂの後側に、後側第１規制部材２３１Ｂが設けられる。後側第１規制部材２３１Ｂは、第３延出部２３Ａの後端に沿って上方に延びる板状の部材である。後側第１規制部材２２１Ｂ、２３１Ｂのそれぞれの両面は、前後方向を向く。前側第１規制部材２２１Ａ、２３１Ａの左右方向の位置と、後側第１規制部材２２１Ｂ、２３１Ｂの右端の左右方向の位置とは略等しい。後側第１規制部材２２１Ｂの右端、第４筐体２４の左端２４Ｃの上端、及び第２裏面２２Ｂは、上方に凹んだ溝部２２１Ｃを形成する。後側第１規制部材２３１Ｂの右端、第４筐体２４の左端２４Ｃの下端、及び第３裏面２３Ｂは、下方に凹んだ溝部２３１Ｃを形成する。
【００３３】
図４、図５に示すように、第１筐体２１の上下方向中心、且つ、筐体１２の左右方向中心よりも左側に、前後方向に貫通する穴２１Ｄが設けられる。穴２１Ｄには、後述する調節機構４の突出部４Ａ（図６参照）が後側から嵌る。第１筐体２１の穴２１Ｄの周囲に、後方に向けて円形に凹んだ凹部２１Ｅが設けられる。凹部２１Ｅには、後述する操作部材３（図６参照）が前側から嵌る。第１裏面２１Ｂのうち、凹部２１Ｅの左側、且つ左端２１Ｃの近傍に、第２規制部材２１１が設けられる。第２規制部材２１１は、第１裏面２１Ｂの上下方向中心を含む位置から、後方に延びる板状の部材である。第２規制部材２１１は、例えば、第１裏面２１Ｂの上下方向中心を通り,且つ、前後左右方向に平行な面に対して、対称に設けられる。第２規制部材２１１の両面は、左右方向を向く。図５に示すように、第２規制部材２１１は、前側第１規制部材２２１Ａ、２３１Ａのそれぞれの左右方向の位置よりも、右側に配置される。図４に示すように、第２規制部材２１１は、後側第１規制部材２２１Ｂ、２３１Ｂのそれぞれの右端の左右方向の位置よりも、右側に配置される。前側第１規制部材２２１Ａ、２３１Ａ、及び、後側第１規制部材２２１Ｂ、２３１Ｂのそれぞれの右端と、第２規制部材２１１の左端との間の左右方向の長さは、後述するホルダ５（図１１参照）の第１端部５１（図１１参照）の左右方向の長さ（厚さ）と等しい。
【００３４】
図４に示すように、第４筐体２４のうち、筐体１２の左右方向中心よりも右側に、前後方向に貫通する複数の穴２４Ｄ、及び、複数の穴２４Ｅが設けられる。複数の穴２４Ｄのそれぞれは、後述する画像ユニット７を筐体１２に取り付けるための複数の螺子穴である。複数の穴２４Ｅのそれぞれは、接続具９を筐体１２に取り付けるための複数の螺子穴である。突出部１２Ｂの後端に、前後方向に貫通する穴２５Ｄが設けられる。穴２５Ｄには、通信線２８（図２参照）が接続される。ＨＭＤ１は、外部機器（図示略）と通信線２８を介して接続される。外部機器は、ＨＭＤ１に画像データを出力する。
【００３５】
第４筐体２４の第４延出部２４Ａ、より具体的には、第４筐体２４の左端２４Ｃに、筐体係合部２４１が設けられる。筐体係合部２４１は、第４筐体２４の左端２４Ｃの上下方向中心を含む位置から、左方に延びる板状の部材である。筐体係合部２４１は、例えば、左端２４Ｃの上下方向中心を通り、且つ、前後左右方向に平行な面に対して、対称に設けられる。
【００３６】
図６に示すように、筐体１２は、前側筐体１３と後側筐体１４とを組み合わせることによって形成される。前側筐体１３は、第１筐体２１、第２筐体２２及び第３筐体２３のそれぞれの前側部分、及び、第５筐体２５を有する。後側筐体１４は、第２筐体２２及び第３筐体２３のそれぞれの後側部分、及び、第４筐体２４を有する。レンズユニット６、画像ユニット７、及び、調節機構４の係合部４Ｂは、筐体１２内に配置される。ホルダ５は、筐体１２の左端に保持される。ホルダ５、レンズユニット６、及び、画像ユニット７は、左側から右側に向けて順番に並ぶ。調節機構４は、レンズユニット６の前側に配置される。後側筐体１４の後端部（第４筐体２４）の前側の面、即ち、第４筐体２４の内側面のうち、上下方向中心を含む位置に、後方に向けて凹んだ溝部２４２が設けられる。溝部２４２は、例えば、第４筐体２４の内側面の上下方向中心を通り、且つ、前後左右方向に平行な面に対して、対称に設けられる。溝部２４２は左右方向に一直線状に延びる。
【００３７】
＜画像ユニット７＞
画像ユニット７は、通信線２８（図２参照）を介して外部機器から受信した画像データに応じた画像の画像光を生成し、射出する。図６に示すように、画像ユニット７は、第１保持部材７１、液晶表示装置７２、及び、第２保持部材７３を有する。
【００３８】
第１保持部材７１は、円筒部材７１Ａ、側板部材７１Ｂ、７１Ｃ、７１Ｄを有する。円筒部材７１Ａは、左右方向に延びる略円筒状の部材である。後述する複数のレンズ６３のそれぞれの光軸７７（図７参照）は、円筒部材７１Ａの中心を左右方向に延びる軸線上に配置される。図７に示すように、円筒部材７１Ａの上側部分及び下側部分のそれぞれは湾曲せず、上下方向と直交する平面に沿って延びる。以下、円筒部材７１Ａの上側部分を、平面部７１３という。円筒部材７１Ａの下側部分を、平面部７１４という。円筒部材７１Ａの平面部７１３、７１４以外の部分、言い換えれば、円筒部材７１Ａの前側部分及び後側部分を、湾曲部７１５という。光軸７７から平面部７１３、７１４までの長さは、光軸７７から湾曲部７１５までの長さ以下となる。光軸７７から平面部７１３、７１４までの長さは、平面部７１３、７１４のそれぞれの前後方向中心で最も短くなる。平面部７１３の前後方向中心を含む位置に、内側の面が上側に凹んだ溝部７１３Ａが設けられる。溝部７１３Ａは、例えば、平面部７１３の前後方向中心を通り、且つ、上下左右方向に平行な面に対して、対称に設けられる。平面部７１４の前後方向中心を含む位置に、内側の面が下側に凹んだ溝部７１４Ａが設けられる。溝部７１４Ａは、例えば、平面部７１４の前後方向中心を通り、且つ、上下左右方向に平行な面に対して、対称に設けられる。溝部７１３Ａ、７１４Ａのそれぞれは、円筒部材７１Ａの左右両端部の間に亙って延びる。
【００３９】
図６に示すように、側板部材７１Ｂ、７１Ｃ、７１Ｄは、それぞれ、円筒部材７１Ａの右端部から右側に延びる平面板状の部材である。側板部材７１Ｂ、７１Ｃのそれぞれの複数の互いに平行な一対の平面のうち、面積の最も大きい一対の平面のそれぞれは、前後方向を向く。側板部材７１Ｄの複数の互いに平行な一対の平面のうち、面積の最も大きい一対の平面のそれぞれは、上下方向を向く。側板部材７１Ｂの下端は、側板部材７１Ｄの前端に接続し、側板部材７１Ｃの下端は、側板部材７１Ｄの後端に接続する。複数の穴２４Ｄ（図４参照）に挿入される螺子は、側板部材７１Ｃに設けられた螺子穴７１１に締められる。これによって、画像ユニット７は、筐体１２のうち後側筐体１４に保持され、筐体１２に対する位置が固定される。
【００４０】
図７に示すように、画像ユニット７は、側板部材７１Ｂから前方に向けて突出する突出部７１２Ａ、７１２Ｂ、７１２Ｃを有する。突出部７１２Ａ、７１２Ｂ、７１２Ｃは板状である。突出部７１２Ａ、７１２Ｂは左右方向に平行に延びる。突出部７１２Ａは、突出部７１２Ｂよりも上側に配置される。突出部７１２Ｃは上下方向に延びる。突出部７１２Ｃの上端は、突出部７１２Ａの右端に接続し、突出部７１２Ｃの下端は、突出部７１２Ｂの右端に接続する。突出部７１２Ａ、７１２Ｂ、７１２Ｃのそれぞれの前端部の前後方向の位置は同一である。即ち、突出部７１２Ａ、７１２Ｂ、７１２Ｃのそれぞれの前端部は、前後方向と直交する仮想的な平面上に配置される。以下、突出部７１２Ａ、７１２Ｂ、７１２Ｃを総称して、突出部７１２という。
【００４１】
図６に示すように、液晶表示装置７２は、ガラス基板７２Ａ及び液晶パネル７２Ｂを有する。ガラス基板７２Ａ及び液晶パネル７２Ｂは、第１保持部材７１のうち側板部材７１Ｂ、７１Ｃ、７１Ｄで囲まれた部分に配置される。液晶パネル７２Ｂは矩形状の周知の液晶パネルである。液晶パネル７２Ｂは、左側面に画像を表示させることによって、画像光を生成する。ガラス基板７２Ａは、液晶パネル７２Ｂの左側面に設けられ、液晶パネル７２Ｂの表示面を保護する。例えば、液晶パネル７２Ｂが反射型液晶の場合、光源（非図示）からの光が液晶パネル７２Ｂに入射する。液晶パネル７２Ｂは、入射した光を反射することで、画像光を生成する。液晶パネル７２Ｂによって生成された画像光は、ガラス基板７２Ａを左側に透過する。
【００４２】
第２保持部材７３は、基板保持部分７３Ａ及び制御基板７３Ｂを有する。基板保持部分７３Ａは、液晶表示装置７２の液晶パネル７２Ｂの右側に配置される。制御基板７３Ｂは、基板保持部分７３Ａの右側に配置される。制御基板７３Ｂは、フレキシブルプリント基板（図示略）を介して液晶パネル７２Ｂに接続される。制御基板７３Ｂに通信線２８（図２参照）が接続される。制御基板７３Ｂは、外部機器から送信された画像データを、通信線２８を介して受信する。制御基板７３Ｂは、フレキシブルプリント基板を介して液晶パネル７２Ｂに制御信号を出力することによって、画像データに応じた画像を液晶パネル７２Ｂに表示させる。
【００４３】
なお、本発明において、液晶パネル７２Ｂの代わりに、Digital Mirror Device（ＤＭＤ）、有機ＥＬ等の二次元表示装置が用いられてもよい。更に、２次元的に走査された光を使用者の網膜上に投影する網膜走査型の投影装置（Retinal Scanning Display）が用いられてもよい。
【００４４】
＜レンズユニット６＞
レンズユニット６は、画像ユニット７の左側に配置される。レンズユニット６は、画像ユニット７から射出された画像光を、レンズユニット６の左側に配置されたハーフミラー５６に導く。レンズユニット６は、保持部材６１、円筒部材６２、及び、複数のレンズ６３を有する。
【００４５】
保持部材６１は、左右方向に延びる略円筒状の部材である。保持部材６１の内側に複数のレンズ６３が固定されている。複数のレンズ６３のそれぞれの光軸は、保持部材６１の中心を左右方向に延びる軸線上に配置されている。図９に示すように、保持部材６１の上側部分及び下側部分のそれぞれは湾曲せず、上下方向と直交する平面に沿って延びる。以下、保持部材６１の上側部分を、平面部６１Ｃという。保持部材６１の下側部分を、平面部６１Ｄという。平面部６１Ｃ、６１Ｄのそれぞれの前端部の間に架設された湾曲部を、湾曲部６１Ａという。平面部６１Ｃ、６１Ｄのそれぞれの後端部の間に架設された湾曲部を、湾曲部６１Ｂという。
【００４６】
湾曲部６１Ａのうち上下方向中心を含む位置に、前方に向けて突出する凸部６４が設けられる。凸部６４は、例えば、湾曲部６１Ａの上下方向中心を通り、且つ、前後左右方向に平行な面に対して、対称に設けられる。凸部６４は円柱状である。凸部６４は、後述する調節機構４の係合部４Ｂのカム溝４２（図１０参照）に嵌る。湾曲部６１Ｂのうち上下方向中心を含む位置に、後方に向けて突出する凸部６５が設けられる。凸部６５は、例えば、湾曲部６１Ｂの上下方向中心を通り、且つ、前後左右方向に平行な面に対して、対称に設けられる。図８に示すように、凸部６５は棒状である。凸部６５の左右方向の長さは、上下方向の長さよりも長い。凸部６５は、第４筐体２４の溝部２４２（図６参照）に嵌る。これによって、レンズユニット６は、筐体１２のうち後側筐体１４に左右方向に移動可能に保持される。
【００４７】
図６に示すように、円筒部材６２は、左右方向に延びる略円筒状の部材である。円筒部材６２は、保持部材６１の右側に設けられる。複数のレンズ６３のそれぞれの光軸７７（図９参照）は、円筒部材６２の中心を左右方向に延びる軸線上に配置される。図９に示すように、円筒部材６２の上側部分及び下側部分のそれぞれは湾曲せず、上下方向と直交する平面に沿って延びる。以下、円筒部材６２の上側部分を、平面部６２Ｃという。円筒部材６２の下側部分を、平面部６２Ｄという。円筒部材６２の平面部６２Ｃ、６２Ｄ以外の部分、言い換えれば、円筒部材６２の前側部分及び後側部分を、湾曲部６２Ａという。光軸７７から平面部６２Ｃ、６２Ｄまでの長さは、光軸７７から湾曲部６２Ａまでの長さ以下となる。光軸７７から平面部６２Ｃ、６２Ｄまでの長さは、平面部６２Ｃ、６２Ｄのそれぞれの前後方向中心で最も短くなる。平面部６２Ｃの前後方向中心を含む位置に、外側の面から上側に突出する突出部６２１Ｃが設けられる。突出部６２１Ｃは、例えば、平面部６２Ｃの前後方向中心を通り、且つ、上下左右方向に平行な面に対して、対称に設けられる。平面部６２Ｄの前後方向中心を含む位置に、外側の面から下側に突出した突出部６２１Ｄが設けられる。突出部６２１Ｄは、例えば、平面部６２Dの前後方向中心を通り、且つ、上下左右方向に平行な面に対して、対称に設けられる。突出部６２１Ｃ、６２１Ｄのそれぞれは、円筒部材６２の左右両端部の間に亙って延びる。突出部６２１Ｃ、６２１Ｄのそれぞれの前後方向の長さは、溝部７１３Ａ、７１４Ａ（図７参照）のそれぞれの前後方向の長さと略同一である。
【００４８】
レンズユニット６の円筒部材６２の外側の壁面の断面形状と、画像ユニット７の円筒部材７１Ａの円筒部材７１Ａの内側の壁面の断面形状とは、略等しい。円筒部材６２の右側の少なくとも一部は、円筒部材７１Ａの左側の少なくとも一部の内側に嵌る。この状態で、円筒部材７１Ａの左端部は、円筒部材６２の右端部よりも左側に配置される。円筒部材６２と円筒部材７１Ａとは、左右方向に重複する。このとき、円筒部材６２の突出部６２１Ｃの右側の少なくとも一部は、円筒部材７１Ａとの左右方向の重複部分で、溝部７１３Ａの左側の少なくとも一部に嵌る。円筒部材６２の突出部６２１Ｄの右側の少なくとも一部は、円筒部材７１Ａとの左右方向の重複部分で、円筒部材７１Ａの溝部７１４Ａの左側の少なくとも一部に嵌る。
【００４９】
画像ユニット７によって生成された画像光は、円筒部材６２の内部に右側から入射し、保持部材６１及び円筒部材６２内部を通過し、保持部材６１の左端から左側に向けて射出する。複数のレンズ６３は、右側から入射する画像光を屈折させ、左側に出射させる。
【００５０】
＜操作部材３＞
図６に示すように、操作部材３は円錐台状の部材である。操作部材３の中心軸は、前後方向に延びる。操作部材３は、中心軸を支点として回動可能である。操作部材３は、前端面３Ａ、後端面３Ｂ、及び、側面３Ｃを有する。前端面３Ａは、操作部材３の前側の底部である。前端面３Ａは、円錐台形状の上底に対応する。後端面３Ｂは、操作部材３の後側の底面である。後端面３Ｂは、円錐台形状の下底に対応する。前端面３Ａ及び後端面３Ｂは、それぞれ、前後方向に直交する。後端面３Ｂには、調節機構４の突出部４Ａ（後述）が嵌合する嵌合溝（図示略）が設けられている。側面３Ｃは、円錐台形状の側面に対応する。側面３Ｃには、前後方向に延びる複数の凹凸が設けられている。凹凸は、使用者が指を側面３Ｃに接触させて力を加えた場合に、操作部材３に対して指が滑ることを防止する。
【００５１】
後端面３Ｂは、第１筐体２１に設けられた凹部２１Ｅに嵌る。なお、凹部２１Ｅは、第１筐体２１のうち筐体１２の左右方向中心よりも左側に設けられているので、操作部材３は、筐体１２の左右方向中心よりも左側に配置される。前端面３Ａと後端面３Ｂとの間の距離、即ち、操作部材３の前後方向の長さＬｈは、使用者が側面３Ｃに指を接触させて操作部材を回転させるために適切な所定の長さ（例えば３ｍｍ）に設定される。なお、後端面３Ｂの前後方向の位置は、第１筐体２１の第１表面２１Ｍのうち操作部材３が設けられる部分の前後方向の位置と略等しい。従って、図３に示すように、操作部材３の第１表面２１Ｍに対する高さ（＝長さＬｈ）は３ｍｍになる。なお、本発明において、長さＬｈは３ｍｍに限定されず、３ｍｍよりも大きい値であってもよい。
【００５２】
図３に示すように、前端面３Ａの直径Ｌｆは、後端面３Ｂ（図６参照）の直径Ｌｒよりも小さい。このため、操作部材３の左右方向の特定の位置（以下、「左右特定位置」という。）における前端面３Ａの上下方向の長さは、左右特定位置における後端面３Ｂの上下方向の長さよりも常に短くなる。又、操作部材３の上下方向の特定の位置（以下、「上下特定位置」という。）における前端面３Ａの左右方向の長さは、上下特定位置における後端面３Ｂの左右方向の長さよりも常に短くなる。又、操作部材３において、中心軸の延びる方向（前後方向）に対する側面３Ｃの角度θは、使用者が筐体１２を親指と人差し指で上下から保持した状態で、中指の腹と側面３Ｃとが、操作を容易にする程度に平行となるように、所定の角度（例えば４０度）に設定される。なお、本発明において、角度θは４０度に限定されず、４０度よりも小さい値であってもよい。
【００５３】
＜調節機構４＞
図６に示すように、調節機構４は、突出部４Ａ及び係合部４Ｂを有する。係合部４Ｂは円形板状の部材である。係合部４Ｂの平行に配置する両面は、前後方向を向く。係合部４Ｂの側面に、前後方向に延びる複数の凹部４１が設けられている。筐体１２の内部に設けられた板バネ４０は、複数の凹部４１の何れかに係合する。突出部４Ａは、係合部４Ｂの円形の中心付近から前方に向けて突出する。突出部４Ａは、第１筐体２１の穴２１Ｄに後側から進入し、第１筐体２１の第１表面２１Ｍの前側に突出する。突出部４Ａのうち、第１表面２１Ｍの前側に突出した部分の前端は、操作部材３の後端面３Ｂの嵌合溝（図示略）に嵌合する（図１５、図１６参照）。これによって、操作部材３及び調節機構４は、前側筐体１３の第１筐体２１に保持される。調節機構４は、係合部４Ｂの円形中心を通って前後方向に延びる軸を支点として、操作部材３と一体となって回動可能である。なお、調節機構４は、操作部材３と一体に形成されてもよい。
【００５４】
操作部材３及び調節機構４が第１筐体２１に保持された状態では、図３に示すように、後端面３Ｂ（図６参照）の直径Ｌｒは、第１表面２１Ｍの上下方向の長さ、詳細には、接続位置２１２Ｓと接続位置２１３Ｓとの間の上下方向の長さＬ１よりも短い。後端面３Ｂの上側の端部は、第１表面２１Ｍの上側の端部、即ち、接続位置２１２Ｓよりも下側に配置され、後端面３Ｂの下側の端部は、第１表面２１Ｍの下側の端部、即ち、接続位置２１３Ｓよりも上側に配置される。
【００５５】
図１０に示すように、係合部４Ｂの後側面にカム溝４２が設けられる。カム溝４２は、係合部４Ｂの後側面の一部が前方に向けて凹むことによって形成される。カム溝４２は、係合部４Ｂの円形中心Ｘを支点として渦巻き状に延びる。カム溝４２は、後側からみた状態で、時計回りに旋回するに従って円形中心Ｘから離間する。以下、カム溝４２の形状を説明する場合には、後側から見た状態を前提とする。カム溝４２は、第１端４２Ａと第２端４２Ｂとを有する。第１端４２Ａは、カム溝４２のうち時計回り方向の端部であり、第２端４２Ｂは、反時計回り方向の端部である。円形中心Ｘから第１端４２Ａを通過して外側に延びる方向４８と、円形中心Ｘから第２端４２Ｂを通過して外側に延びる方向４９とのなす角度のうち、カム溝４２側の角度φは、１２０度である。なお、本発明において、角度φは１２０度に限定されず、１２０度よりも小さい値であってもよい。カム溝４２には、操作部材３及び調節機構４が第１筐体２１に保持された状態で、レンズユニット６の凸部６４が後方から嵌る。
【００５６】
＜偏向ユニット５９＞
偏向ユニット５９は、ハーフミラー５６及びホルダ５を有する。図６に示すように、ハーフミラー５６は、レンズユニット６の左側に配置される。ハーフミラー５６は、後述するホルダ５によって、筐体１２に対する位置が固定される。このため、筐体１２に対して固定的な位置に保持される画像ユニット７との間の距離は、固定的となる。ハーフミラー５６は、レンズユニット６を通過して右側から入射する画像光を、後側に反射させることができる。使用者の眼は、ハーフミラー５６によって後側に反射された画像光に基づいて、虚像を視認できる。又、ハーフミラー５６は、前側から入射した外界の光を後側に透過させることができる。
【００５７】
ハーフミラー５６は矩形板状である。ハーフミラー５６は、例えば、透明な樹脂やガラスの基板上に、アルミや銀などの金属を所定の反射率（例えば５０％）となるように蒸着することで構成される。ハーフミラー５６は、後述するホルダ５によって保持される。ホルダ５に保持された状態のハーフミラー５６の両面のうち一方の面５６Ｂは、右斜め後方を向き、他方の面５６Ｃは、左斜め前方を向く。ハーフミラー５６は、面５６Ｂ、５６Ｃのそれぞれに入射した光の一部（例えば５０％）を反射させ、他部を透過させることができる。
【００５８】
なお、本発明において、上記のハーフミラー５６の代わりに、面５６Ｂに入射した画像光を後側に全反射させることが可能な反射部材が用いられてもよい。又、ハーフミラー５６の代わりに、プリズムや回折格子のような光路偏向部材が用いられてもよい。
【００５９】
ホルダ５は、レンズユニット６の左側に配置され、ハーフミラー５６を保持する。図１１、図１２に示すように、ホルダ５は基礎部材５０を備える。基礎部材５０は、それぞれが板状の第１端部５１、第２端部５２、第３端部５３、及び、第４端部５４を有する。第１端部５１の３つの互いに平行な一対の平面のうち、面積の最も大きい一対の平面のそれぞれは、左右方向を向く。第１端部５１の前端の上側及び下側の角は湾曲する。第２端部５２は、第１端部５１の後端部の上側から後方に延びる。第３端部５３は、第１端部５１の後端部の下側から後方に延びる。第２端部５２及び第３端部５３のそれぞれの３つの互いに平行な一対の平面のうち、面積の最も大きい一対の平面のそれぞれは、上下方向を向く。第４端部５４は、第２端部５２及び第３端部５３のそれぞれの後端部の間に架設される。第４端部５４の３つの互いに平行な一対の平面のうち、面積の最も大きい一対の平面のそれぞれは、前後方向を向く。第４端部５４の左右方向の長さは、第２端部５２及び第３端部５３のそれぞれの左右方向の長さよりも短い。第１端部５１、第２端部５２、第３端部５３、及び、第４端部５４のそれぞれの右端の面の左右方向の位置は一致し、それぞれは同一平面を形成する。第１端部５１〜第４端部５４によって囲まれた部分に、穴５１Ｂが形成される。以下、図１２に示すように、第１端部５１、第２端部５２、第３端部５３、及び、第４端部５４のそれぞれの右端の面を、それぞれ、第１端面５１Ａ、第２端面５２Ａ、第３端面５３Ａ、及び、第４端面５４Ａという。
【００６０】
図１１に示すように、第２端部５２の左前側の角の近傍に、上下方向に貫通する穴５２Ｃが設けられる。第３端部５３の左前側の角の近傍に、上下方向に貫通する穴５３Ｃが設けられる。図６に示すように、ハーフミラー５６の上端部から上方に突出する上側突出部５６Ａは、穴５２Ｃに下方から嵌る。ハーフミラー５６の下端部から下方に突出する下側突出部（図示略）は、穴５３Ｃに上方から嵌る。ホルダ５は、ハーフミラー５６の上側突出部５６Ａを穴５２Ｃで支持し、且つ、ハーフミラー５６の下側突出部（図示略）を穴５３Ｃで支持することによって、ハーフミラー５６を保持する。ハーフミラー５６は、第１端面５１Ａ〜第４端面５４Ａのそれぞれを含む平面に対して左側に配置される。
【００６１】
図１１、図１２に示すように、第２端部５２のうち、第４端部５４と接続する部分の上面に、ホルダ突出部５２Ｂが設けられる。ホルダ突出部５２Ｂは、延設部５２１Ｂ、５２２Ｂを備える。延設部５２１Ｂは、第２端面５２Ａ（図１２参照）に対して左方に突出する板状の部位である。延設部５２１Ｂの左右方向の長さは、第４延出部２４Ａの左端２４Ｃ（図４参照）の上端と、後側第１規制部材２２１Ｂ（図４参照）の右端との間の左右方向の長さ（以下、「溝部２２１Ｃ（図４参照）の左右方向の長さ」ともいう。）と等しい。延設部５２２Ｂは、延設部５２１Ｂの左端から前方に向けて延びる板状の部位である。第３端部５３のうち、第４端部５４と接続する部分の下面に、ホルダ突出部５３Ｂが設けられる。ホルダ突出部５３Ｂは、延設部５３１Ｂ、５３２Ｂを備える。延設部５３１Ｂは、第３端面５３Ａに対して左方に突出する板状の部位である。延設部５３１Ｂの左右方向の長さは、第４延出部２４Ａの左端２４Ｃの下端と、後側第１規制部材２３１Ｂ（図４参照）の右端との間の左右方向の長さ（以下、「溝部２３１Ｃ（図４参照）の左右方向の長さ」ともいう。）と等しい。延設部５３２Ｂは、延設部５３１Ｂの左端から前方に向けて延びる板状の部位である。
【００６２】
図１２に示すように、第４端部５４の第４端面５４Ａに、第１ホルダ係合部５４１Ａ、及び、第２ホルダ係合部５４２Ａ、５４２Ｂが設けられる。第１ホルダ係合部５４１Ａは、第４端面５４Ａの上下方向中心、且つ前後方向中心よりも前側から、右方に突出する。第２ホルダ係合部５４２Ａは、第４端面５４Ａの上下方向中心よりも上側、且つ、前後方向中心よりも後側から、右方に突出する。第２ホルダ係合部５４２Ｂは、第４端面５４Ａの上下方向中心よりも下側、且つ、前後方向中心よりも後側から、右方に突出する。
【００６３】
偏向ユニット５９は、筐体１２に着脱可能に支持される。図１３は、偏向ユニット５９が筐体１２に装着される前の状態を示す。偏向ユニット５９は、第２筐体２２の第２延出部２２Ａ、及び、第３筐体２３の第３延出部２３Ａによって上下方向を覆われた領域に対して、ホルダ５が後側から前側に移動することによって、筐体１２に装着される。偏向ユニット５９が筐体１２に装着される過程で、ホルダ５のホルダ突出部５２Ｂは、第２延出部２２Ａの溝部２２１Ｃに後側から入り込み、ホルダ５のホルダ突出部５３Ｂは、第３延出部２３Ａの溝部２３１Ｃ（図４参照）に後側から入り込む。ホルダ５の第２端部５２は、筐体１２の第２延出部２２Ａの第２裏面２２Ｂ（図４参照）の下側を、第２裏面２２Ｂに沿って平行に移動する。ホルダ５の第３端部５３は、筐体１２の第３延出部２３Ａの第３裏面２３Ｂ（図４参照）の上側を、第３裏面２３Ｂに沿って平行に移動する。
【００６４】
偏向ユニット５９が筐体１２に装着される過程で、第１ホルダ係合部５４１Ａ（図１２参照）は、第４筐体２４の左端２４Ｃに設けられた筐体係合部２４１（図４参照）に対して後側から接触する。ホルダ５に対して前側に更に力が加えられた場合、第４端部５４が左側に撓むことによって、第１ホルダ係合部５４１Ａは、筐体係合部２４１の左側を乗り越えて、筐体係合部２４１の前側に移動する。
【００６５】
図１４は、偏向ユニット５９が筐体１２に装着された状態を示す。ホルダ５の第１端部５１の前端は、第１筐体２１の第１延出部２１Ａの第１裏面２１Ｂ（図１３参照）の左端２１Ｃの近傍に、後側から接触する。これによって、ホルダ５の前方への移動は規制される。ホルダ５は、第２筐体２２の第２延出部２２Ａ、及び、第３筐体２３の第３延出部２３Ａによって上下方向を覆われた領域に配置される。ホルダ５は、第１端面５１Ａ〜第４端面５４Ａ（図１２参照）に対して左側にハーフミラー５６を保持する（図６参照）ので、ハーフミラー５６は、第１端部５１が接触する第１裏面２１Ｂよりも左側に配置される。
【００６６】
ホルダ５の第１端部５１の第１端面５１Ａ（図１２参照）のうち、上下方向中心を含む位置に、第２規制部材２１１（図１３参照）の左側面が接触する。ホルダ５の第１端部５１の左端面のうち上側の位置に、前側第１規制部材２２１Ａ（図５参照）が接触する。ホルダ５の第１端部５１の左端面のうち下側の位置に、前側第１規制部材２３１Ａ（図５参照）の右側面が接触する。
【００６７】
なお、前側第１規制部材２２１Ａ、２３１Ａのそれぞれの右端と、第２規制部材２１１の左端との間の長さは、ホルダ５の第１端部５１の左右方向の長さ（厚さ）と等しい。従って、偏向ユニット５９が筐体１２に装着された状態で、前側第１規制部材２２１Ａ、２３１Ａのそれぞれの右端面と、第２規制部材２１１の左端面とは、ホルダ５の前側の左右方向の移動を規制する。
【００６８】
ホルダ突出部５２Ｂ（図１１参照）の延設部５２１Ｂは、溝部２２１Ｃに嵌る。延設部５２１Ｂの右端、即ち、第２端面５２Ａの後端部は、溝部２２１Ｃを構成する第４延出部２４Ａの左端２４Ｃの上端部に接触する。延設部５２１Ｂの左端は、後側第１規制部材２２１Ｂの右端に接触する。ホルダ突出部５３Ｂ（図１１参照）の延設部５３１Ｂは、溝部２３１Ｃに嵌る。延設部５３１Ｂの右端、即ち、第３端面５３Ａの後端部は、溝部２３１Ｃを構成する第４延出部２４Ａの左端２４Ｃの下端部に接触する。延設部５３１Ｂの左端は、後側第１規制部材２３１Ｂの右端に接触する。
【００６９】
ホルダ５の第２端部５２（図１１参照）の上側の面は、筐体１２の第２延出部２２Ａの第２裏面２２Ｂ（図４参照）よりも下側に、第２端部５２に対するホルダ突出部５２Ｂの上方向の突出量分離隔して対向配置する。ホルダ５の第３端部５３（図１１参照）の下側の面は、筐体１２の第３延出部２３Ａの第３裏面２３Ｂ（図４参照）よりも上側に、第３端部５３に対するホルダ突出部５３Ｂの下方向の突出量分離隔して対向配置する。
【００７０】
なお、延設部５２１Ｂの左右方向の長さと溝部２２１Ｃの左右方向の長さは等しい。又、延設部５３１Ｂの左右方向の長さと溝部２３１Ｃの左右方向の長さは等しい。従って、偏向ユニット５９が筐体１２に装着された状態で、溝部２２１Ｃを構成する後側第１規制部材２２１Ｂの右端と第４延出部２４Ａの左端２４Ｃの上端部とは、ホルダ５の後側の左右方向の移動を規制する。又、偏向ユニット５９が筐体１２に装着された状態で、溝部２３１Ｃを構成する後側第１規制部材２３１Ｂの右端と第４延出部２４Ａの左端２４Ｃの下端部とは、ホルダ５の左右方向の移動を規制する。
【００７１】
偏向ユニット５９が筐体１２に装着された状態で、筐体係合部２４１（図４参照）の前側面は、第１ホルダ係合部５４１Ａ（図１２参照）の後側面に接触する。筐体係合部２４１の後側面は、第２ホルダ係合部５４２Ａ、５４２Ｂのそれぞれの前側面に接触する。このように、第１ホルダ係合部５４１Ａ及び第２ホルダ係合部５４２Ａ、５４２Ｂと、筐体係合部２４１とは係合する。従って、ホルダ５の前後方向の移動は、筐体係合部２４１によって規制され、偏向ユニット５９が筐体１２に装着された状態は維持される。
【００７２】
＜動作概要（ピント調節）＞
ＨＭＤ１の動作概要について説明する。初めに使用者は、ＨＭＤ１の装着具８（図１参照）を頭部に着用する。使用者は、偏向ユニット５９（図１参照）が筐体１２に装着された状態の本体部材１１（図１参照）を持ち、ハーフミラー５６が（図１参照）が左眼の前方に配置されるように位置を調節する。
【００７３】
外部機器（図示略）から、画像データの出力が開始される。制御基板７３Ｂ（図６参照）は、通信線２８（図２参照）を介して画像データを受信する。制御基板７３Ｂは、受信した画像データに応じた画像を、液晶パネル７２Ｂに表示させる。液晶パネル７２Ｂに表示された画像の画像光は、ガラス基板７２Ａ及び円筒部材７１Ａを左側に通過し、画像ユニット７から左側に射出する。画像ユニット７から射出した画像光は、レンズユニット６の複数のレンズ６３を左側に通過し、レンズユニット６から左側に射出する。ハーフミラー５６は、レンズユニット６から射出された画像光を後側に反射させる。画像光は使用者の左眼に入射する。又、ハーフミラー５６は、前側から入射した外界の光を後側に透過させる。これによって使用者は、ＨＭＤ１の本体部材１１に対して前側の景色に虚像を重ねて認識する。
【００７４】
ピント調節を行なうために使用者が操作部材３を回転させた場合の、レンズユニット６の動きについて説明する。操作部材３の回動に応じて調節機構４が回動する場合、凸部６４（図６参照）は、係合部４Ｂのカム溝４２（図１０参照）に沿って移動する。凸部６４の移動に応じてレンズユニット６が移動するとき、溝部２４２は、凸部６５（図８参照）の上下方向への移動を規制する。このためレンズユニット６は、調節機構４の回動に応じて左右方向に移動する。なお、以下における回転方向（時計回り又は反時計回り）の説明は、特段の限定がない限り、ＨＭＤ１を前側から見た時の方向を示すものとする。
【００７５】
図１５を参照し、操作部材３が時計回りに回動した場合を例に挙げて具体的に説明する。操作部材３の回動に応じて調節機構４が回転した場合、カム溝４２（図１０参照）を形成する前後方向に伸びる互いに平行な一対の壁面は、接触する凸部６４に対して右側に力を作用させ、凸部６４を右側に移動させる。凸部６４の移動に伴い、レンズユニット６は右側に移動する。レンズユニット６の円筒部材６２（図６参照）は、画像ユニット７の円筒部材７１Ａ内に入り込む。円筒部材６２の突出部６２１Ｃ（図９参照）は、円筒部材７１Ａの溝部７１３Ａに沿って右側に移動し、円筒部材６２の突出部６２１Ｄ（図９参照）は、円筒部材７１Ａの溝部７１４Ａ（図７参照）に沿って右側に移動する。カム溝４２の第１端４２Ａ（図１０参照）に凸部６４が接触することによって、操作部材３の時計回りの回動は規制される。このとき、レンズユニット６の保持部材６１の右端は、画像ユニット７の円筒部材７１Ａの左端に近接する。画像ユニット７の液晶パネル７２Ｂ（図６参照）と、レンズユニット６の複数のレンズ６３（図６参照）とは最も近接する。以下、レンズユニット６と画像ユニット７とが最も近接した図１５の状態を、第１状態という。
【００７６】
図１６を参照し、操作部材３が反時計回りに回動した場合を例に挙げて具体的に説明する。操作部材３の回動に応じて調節機構４が回転した場合、カム溝４２（図１０参照）を形成する前後方向に伸びる互いに平行な一対の壁面は、接触する凸部６４に対して左側に力を作用させ、凸部６４を左側に移動させる。凸部６４の移動に伴い、レンズユニット６は左側に移動する。レンズユニット６の円筒部材６２は、画像ユニット７の円筒部材７１Ａ内から左方外側に移動する。円筒部材６２の突出部６２１Ｃ（図９参照）は、円筒部材７１Ａの溝部７１３Ａに沿って左側に移動し、円筒部材６２の突出部６２１Ｄ（図９参照）は、円筒部材７１Ａの溝部７１４Ａ（図７参照）に沿って左側に移動する。カム溝４２の第２端４２Ｂに凸部６４が接触することによって、操作部材３の反時計回りの回動は規制される。このとき、レンズユニット６の保持部材６１の右端は、画像ユニット７の円筒部材７１Ａの左端に対して左側に離隔する。画像ユニット７の液晶パネル７２Ｂ（図６参照）と、レンズユニット６の複数のレンズ６３（図６参照）とは最も離隔する。以下、レンズユニット６と画像ユニット７とが最も離隔した図１６の状態を、第２状態という。
【００７７】
なお、レンズユニット６が左右方向に移動したとき、複数のレンズ６３によって、ユーザによって視認される虚像となる画像光の広がり角が変化する。従って使用者は、操作部材３を回動させることによってピント調節を行うことができる。なお、図１０に示すように、方向４８と方向４９とのなす角度φは１２０度であるので、操作部材３の回動可能な角度も１２０度になる。
【００７８】
操作部材３及び調節機構４の回動に応じてレンズユニット６が左右方向に移動するとき、円筒部材６２と円筒部材７１Ａとのそれぞれの左右方向の少なくとも一部は、常に重なる。このため、画像ユニット７によって生成された画像光は、レンズユニット６が左右方向に移動しても、画像ユニット７及びレンズユニット６から外部に漏れ出ない。
【００７９】
調節機構４が回動する過程で、複数の凹部４１のうち１つに板バネ４０（図６参照）が係合した状態から、複数の凹部４１のうち隣接する他に板バネ４０（図６参照）が係合した状態に変化する。調節機構４の回動は、凹部４１に板バネ４０が係合した状態で抑制され、調節機構４の位置は安定化する。このため使用者は、操作部材３及び調節機構４を所望する位置に容易に保持させることができるので、ピント調節を容易に行うことができる。
【００８０】
＜効果＞
以上説明したように、ＨＭＤ１において、レンズユニット６の湾曲部６１Ａに凸部６４が設けられ、湾曲部６１Ｂに凸部６５が設けられる。凸部６５は、筐体１２の第４筐体２４に設けられた溝部２４２に嵌り、筐体１２に対して左右方向に移動可能に支持される。凸部６４は、操作部材３の後端部に設けられた調節機構４の係合部４Ｂのカム溝４２に嵌る。操作部材３を回転させる操作が行われた場合、レンズユニット６は左右方向に移動する。これによって、レンズユニット６と画像ユニット７との光軸に沿った方向の相対距離が変化し、ピント調節が行われる。
【００８１】
ＨＭＤ１が使用者に装着された状態で、凸部６４、６５、溝部２４２、及び、カム溝４２は、使用者に対して前後方向に配置され、上下方向に配置されない。このため、ＨＭＤ１は、使用者に装着された状態で上下方向の大きさを抑制できる。従って、使用者の視野が筐体１２によって遮られる可能性は低減される。従って、ＨＭＤ１は、使用者に装着された状態で使用者の視野を良好に維持できる。
【００８２】
ＨＭＤ１の筐体１２は、画像ユニット７とハーフミラー５６とを保持し、双方間の距離を固定する。ＨＭＤ１では、操作部材３に対する操作に応じて、レンズユニット６を左右方向に移動させ、レンズユニット６と画像ユニット７との間の距離を変化させることによって、ピント調節が行われる。なお、レンズユニット６は、外部からの電気的制御が不要であるので、電気信号を伝達するための信号線が接続されない。このため、レンズユニット６の左右方向への移動は、信号線によって妨げられない。従って、ＨＭＤ１は、レンズユニット６を左右方向にスムーズに移動させることができる。
【００８３】
ＨＭＤ１において、凸部６５は湾曲部６１Ｂから後方に突出する。凸部６５が嵌る溝部２４２は、第４筐体２４の内側面に設けられる。このため、ＨＭＤ１は、凸部６５及び溝部２４２によって筐体１２が上下方向に大きくなることを適切に抑制できる。従って、使用者の視野が筐体１２によって遮られる可能性を低減できる。又、溝部２４２は左右方向に一直線状に延びるので、凸部６５が左右方向以外の方向に移動することを規制できる。従って、ＨＭＤ１は、画像ユニット７又はレンズユニット６を左右方向に適切に移動させることができる。又、凸部６５の形状は棒状であり、左右方向に長い。このためＨＭＤ１は、操作部材３に対する操作が行われた場合に、レンズユニット６が前後方向に延びる軸を支点として回転することを抑制できる。従って、ＨＭＤ１は、レンズユニット６を左右方向に移動させることによるピント調節を適切に実行できる。
【００８４】
ＨＭＤ１が第２筐体２２を上にした状態で使用者に装着された場合と、第３筐体２３を上にした状態で使用者に装着された状態とで、レンズユニット６に加わる重力の向きは変化する。ここで、ＨＭＤ１において、凸部６４は、レンズユニット６の湾曲部６１Ａの上下方向中心を含む位置に設けられる。凸部６５は、レンズユニット６の湾曲部６１Ｂの上下方向中心を含む位置に設けられる。溝部２４２は、筐体１２の第４筐体２４の内側面の上下方向中心に設けられる。従って、ＨＭＤ１は、レンズユニット６に加わる重力の向きが変化した場合でも、レンズユニット６を水平に維持できる。
【００８５】
ＨＭＤ１において、凸部６４は湾曲部６１Ａから前方に突出する。凸部６４が嵌るカム溝４２を有する調節機構４の係合部４Ｂは、筐体１２の第１筐体２１の後側の面に設けられる。このため、凸部６４及び調節機構４の係合部４Ｂによって筐体１２が上下方向に大きくなることを適切に抑制できる。従って、使用者の視野が筐体によって遮られる可能性を低減できる。又、凸部６４は、係合部４Ｂのカム溝４２に嵌り、操作部材３の回転に応じて左右方向に移動する。これによって、レンズユニット６を左右方向に移動させることができるので、ＨＭＤ１は、画像ユニット７及びレンズユニット６の間の距離を変化させてピント調節を行うことができる。
【００８６】
ＨＭＤ１において、画像ユニット７とレンズユニット６との左右方向の重複部分で、円筒部材６２の突出部６２１Ｃ、６２１Ｄが、円筒部材７１Ａの溝部７１３Ａ、７１４Ａに嵌る。これによって、画像ユニット７とレンズユニット６との左右方向と直交する方向（前後方向及び上下方向）の位置関係が固定される。従って、操作部材３に対する操作に応じてレンズユニット６が左右方向に移動したときに、レンズユニット６及び画像ユニット７の少なくとも一方が光軸７７と交差する方向に移動することを抑制できる。なお、突出部６２１Ｃ、６２１Ｄ及び溝部７１３Ａ、７１４Ａは、それぞれ、光軸７７にもっとも近接する位置に設けられる。このため、ＨＭＤ１は、レンズユニット６及び画像ユニット７が光軸７７と交差する方向に移動することを適切に抑制できる。
【００８７】
又、突出部６２１Ｃ、６２１Ｄは、レンズユニット６の円筒部材６２のうち上下方向に配置される平面部６２Ｃ、６２Ｄに設けられる。又、溝部７１３Ａ、７１４Ａは、画像ユニット７の円筒部材７１Ａのうち上下方向に配置される平面部７１３、７１４に設けられる。このため、画像ユニット７とレンズユニット６とは、それぞれの左右方向の重複部分の上下方向両側で、光軸７７と交差する方向の位置関係が固定される。従って、操作部材３に対する操作に応じてレンズユニット６が左右方向に移動したときに、レンズユニット６及び画像ユニット７が光軸７７と交差する方向に移動することを適切に抑制できる。
【００８８】
更に、突出部６２１Ｃは平面部６２Ｃの前後方向中心に設けられ、突出部６２１Ｄは平面部６２Ｄの前後方向中心に設けられる。又、溝部７１３Ａは、平面部７１３の前後方向中心に設けられ、溝部７１４Ａは、平面部７１４の前後方向中心に設けられる。この場合、操作部材３に対する操作に応じてレンズユニット６が左右方向に移動したときに、レンズユニット６及び画像ユニット７が前後方向に移動することを適切に抑制できる。
【００８９】
ＨＭＤ１において、使用者側に近接して配置される後側筐体１４に、レンズユニット６及び画像ユニット７が保持される。使用者側から離隔して配置される前側筐体１３に、操作部材３及び調節機構４が保持される。なお、ＨＭＤ１は、装着具８が使用者の頭部に着用され、接続具９が後側筐体１４に接続して筐体１２全体を支持することによって、使用者に装着される。従って、接続具９に直接接続された後側筐体１４にレンズユニット６及び画像ユニット７が保持されることになるので、レンズユニット６及び画像ユニット７を使用者の頭部に適切に固定できる。
【００９０】
画像ユニット７は、突出部７１２（７１２Ａ〜７１２Ｃ）を有する。突出部７１２の夫々の前側の端部は、同一平面上に配置される。この場合、突出部７１２を土台として画像ユニット７を台等に容易に載置させ易くなる。このため、画像ユニット７を筐体１２に組み付けてＨＭＤ１を製造する場合に、画像ユニット７を安定化させることができる。これによって、ＨＭＤ１の製造を容易化できる。
【００９１】
ＨＭＤ１の装着具８は、左右方向に延び且つ前方に向けて凸状に湾曲する第１部分８Ａ、及び、第１部分８Ａの両側から後側に延びる第２部分８Ｂ、８Ｃを有する。又、ＨＭＤ１は、装着具８の第１部分８Ａから延びる接続具９を有する。接続具９の先端に本体部材１１が接続される。従って、装着具８が使用者の頭部に着用された状態で、使用者の眼前にハーフミラー５６を保持できる。従って使用者は、ハーフミラー５６によって偏向された画像光を視認しつつ、両手を使用して作業を行うことができる。
【００９２】
＜変形例＞
なお、本発明は上記実施形態に限定されず、種々の変更が可能である。上記のＨＭＤ１において、画像ユニット７を左右方向に移動させることによってピント調節が行われてもよい。具体的には次の通りである。レンズユニット６が筐体１２に固定的に保持され、画像ユニット７が左右方向に移動可能に保持されてもよい。画像ユニット７の前側及び後側の面のそれぞれに、凸部が設けられていてもよい。調節機構４のカム溝４２に、画像ユニット７の前側の凸部が後方から嵌っていてもよい。第４筐体２４の前側の面の溝部２４２に、画像ユニット７の後側の凸部が前方から嵌ってもよい。操作部材３及び調節機構４が回動した場合、画像ユニット７が左右方向に移動してもよい。又、画像ユニット７及びレンズユニット６の両方の前側及び後側の面に、凸部が設けられてもよい。画像ユニット７及びレンズユニット６を左右方向に移動させることによって、ピント調節が行われてもよい。筐体１２は、レンズユニット６及び画像ユニット７のうち一部のみを覆っていてもよい。
【００９３】
レンズユニット６の凸部６５は、円柱形であってもよい。凸部６５が設けられる位置は、レンズユニット６の湾曲部６１Ｂの上下方向中心を含む位置に限られず、中心よりも上側又は下側でもよい。レンズユニット６の凸部６５の代わりに、左右方向に延び且つ前方に凹んだ溝部が設けられてもよい。第４筐体２４の溝部２４２の代わりに、前方に突出する凸部が設けられてもよい。そして、レンズユニット６の溝部に、第４筐体２４の凸部が嵌り、凸部が溝部に沿って左右方向に移動することによって、レンズユニット６を左右方向に移動可能としてもよい。
【００９４】
レンズユニット６の凸部６４の代わりに、左右方向に延びるラックギヤが設けられてもよい。調節機構４のカム溝４２の代わりに、ラックギヤに嵌合するピニオンギヤが設けられてもよい。操作部材３の回転に応じてピニオンギヤが回転し、ピニオンギヤに嵌合するラックギヤが左右方向に移動することによって、ピント調節が行われてもよい。
【００９５】
操作部材３及び調節機構４は一体の構造を有していてもよい。レンズユニット６の凸部６４は、筐体１２の第１筐体２１に設けられたスリットを介して、第１筐体２１の前側に突出してもよい。操作部材３の後端面３Ｂに、カム溝４２が設けられてもよい。第１筐体２１の前側に突出する凸部６４は、操作部材３のカム溝４２に嵌っていてもよい。操作部材３の回転に応じ、凸部６４がスリットに沿って左右方向に移動することによって、レンズユニット６が左右方向に移動してもよい。
【００９６】
上記のＨＭＤ１において、画像ユニット７には、平面部７１３、７１４のそれぞれのうち、前後方向中心よりも前側又は後側に、溝部７１３Ａ、７１４Ａが設けられてもよい。レンズユニット６には、平面部６２Ｃ、６２Ｄのそれぞれに、画像ユニット７の溝部７１３Ａ、７１４Ａに嵌る突出部６２１Ｃ、６２１Ｄが設けられてもよい。画像ユニット７には、平面部７１３、７１４のうち何れかに溝部が設けられてもよい。レンズユニット６には、平面部６２Ｃ、６２Ｄのうち何れかに、画像ユニット７の溝部に嵌る突出部が設けられてもよい。画像ユニット７には、平面部７１３、７１４のそれぞれに、２以上の溝部が設けられてもよい。レンズユニット６には、平面部６２Ｃ、６２Ｄのそれぞれに、画像ユニット７の２以上の溝部に嵌る２以上の突出部が設けられてもよい。画像ユニット７には、湾曲部７１５に溝部が設けられてもよい。レンズユニット６には、湾曲部６２Ａに、画像ユニット７の溝部に嵌る突出部が設けられてもよい。画像ユニット７の平面部７１３、７１４に設けられた溝部７１３Ａの上端、及び、溝部７１４Ａの下端は、開放してもよい。即ち、溝部７１３Ａ、７１４Ａはスリット状であってもよい。画像ユニット７の平面部７１３、７１４に突出部が設けられてもよい。レンズユニット６の平面部６２Ｃ、６２Ｄに、画像ユニット７の平面部７１３、７１４の突出部に嵌る溝部が設けられてもよい。画像ユニット７は、前側筐体１３に保持されてもよい。画像ユニット７の側板部材７１Ｂには、突出部７１２の代わりに、前方に突出する円柱又は角柱が設けられてもよい。
【００９７】
上記において、ＨＭＤ１は装着具８及び接続具９を備えず、本体部材１１のみの構成であってもよい。本体部材１１は、眼鏡等に直接固定されてもよい。また、ＨＭＤ１は、装着具８を備えず、接続具９及び本体部材１１で構成されてもよい。
【００９８】
ＨＭＤ１の左右方向は本発明の「第１方向」の一例である。ＨＭＤの左側は本発明の「第１方向の一方側」の一例であり、右側は本発明の「第１方向の他方側」の一例である。ＨＭＤ１の前後方向は本発明の「第２方向」の一例である。ＨＭＤの後側は本発明の「第２方向の一方側」の一例であり、前側は本発明の「第２方向の他方側」の一例である。ＨＭＤ１の上下方向は本発明の「第３方向」の一例である。ＨＭＤの上側は本発明の「第３方向の一方側」の一例であり、下側は本発明の「第３方向の他方側」の一例である。ハーフミラー５６は本発明の「偏向部材」の一例である。凸部６５は本発明の「第１係合部材」「第１突出部」の一例である。凸部６４は本発明の「第２係合部材」「第２突出部」の一例である。溝部２４２は本発明の「第３係合部材」「第１溝部」の一例である。カム溝４２は本発明の「第４係合部材」「第２溝部」の一例である。後側筐体１４は本発明の「第１筐体」の一例である。前側筐体１３は本発明の「第２筐体」の一例である。突出部６２１Ｃ、６２１Ｄは本発明の「第３突出部」の一例である。溝部７１３Ａ、７１４Ａは本発明の「第３溝部」の一例である。突出部７１２Ａ、７１２Ｂ、７１２Ｃは本発明の「平面部」の一例である。円筒部材６２は本発明の「レンズユニット重複部」の一例である。円筒部材７１Ａは本発明の「画像ユニット重複部」の一例である。
【符号の説明】
【００９９】
１        ：ＨＭＤ
３        ：操作部材
４        ：調節機構
５        ：ホルダ
６        ：レンズユニット
７        ：画像ユニット
８        ：装着具
８Ａ      ：第１部分
８Ｂ      ：第２部分
８Ｃ      ：第２部分
９        ：接続具
１２      ：筐体
４２      ：カム溝
５６      ：ハーフミラー
５９      ：偏向ユニット
６３      ：レンズ
６４      ：凸部
６５      ：凸部
７７      ：光軸
２４２    ：溝部
６２１Ｃ  ：突出部
６２１Ｄ  ：突出部
７１２    ：突出部
７１３Ａ  ：溝部
７１４Ａ  ：溝部
【図１】
2016031506.tif 000003
【図２】
2016031506.tif 000004
【図３】
2016031506.tif 000005
【図４】
2016031506.tif 000006
【図５】
2016031506.tif 000007
【図６】
2016031506.tif 000008
【図７】
2016031506.tif 000009
【図８】
2016031506.tif 000010
【図９】
2016031506.tif 000011
【図１０】
2016031506.tif 000012
【図１１】
2016031506.tif 000013
【図１２】
2016031506.tif 000014
【図１３】
2016031506.tif 000015
【図１４】
2016031506.tif 000016
【図１５】
2016031506.tif 000017
【図１６】
2016031506.tif 000018